(57)【要約】【課題】携帯情報端末が脱落することを防止して、安心して携行することができる携帯情報端末用ケースを提供すること。【解決手段】携帯情報端末を収納可能なケース本体を有する携帯情報端末用ケースにおいて、携帯情報端末の背面を被覆する背面被覆部と、携帯情報端末の両側面を被覆保持する側面保持部と、携帯情報端末の頂面を被覆して当該携帯情報端末が上側へ脱落することを防止する上側脱落防止部と、上側脱落防止部の端部に配設され、携帯情報端末の前面側上端を係止する係止部と、各側面保持部の下端に、背面被覆部の下端よりも下方へ突出し、携帯情報端末が下側へ脱落することを防止する下側脱落防止部と、下側脱落防止部と一体形成され、携帯情報端末が前側に脱落することを防止する前側脱防止部とを有することとした。【選択図】図１
2007166243.tif 000002
【特許請求の範囲】
【請求項１】
矩形薄箱形状の筐体を有する携帯情報端末を収納可能なケース本体を有し、前記ケース本体が、前記携帯情報端末の背面を被覆する背面被覆部と、当該背面被覆部と一体形成され前記携帯情報端末の両側面を被覆保持する一対の側面保持部とを有する携帯情報端末用ケースにおいて、
前記ケース本体は、
収納した前記携帯情報端末の頂面を被覆することにより、当該携帯情報端末が上側へ脱落することを防止する上側脱落防止部と、
この上側脱落防止部の端部に配設され、収納した前記携帯情報端末の前面側上端を係止する係止部と、
各前記側面保持部の下端に、前記背面被覆部の下端よりも下方へ突出し、前記携帯情報端末が下側へ脱落することを防止する下側脱落防止部と、
これら下側脱落防止部と一体形成され、前記携帯情報端末が前側に脱落することを防止する前側脱落防止部と、
を有することを特徴とする携帯情報端末用ケース。
【請求項２】
収納した前記携帯情報端末の前面を被覆するように、前記ケース本体に着脱自在に構成した前面保護部材を設け、
前記前面保護部材は、収納した前記携帯情報端末の前面を透視可能な材料により形成すると共に、当該前面保護部材の両側端部に前記ケース本体と係合する係合爪を有することを特徴とする請求項１に記載の携帯情報端末用ケース。
【請求項３】
前記ケース本体の背面側に、一端が固定された板バネを配設し、当該板バネの他端と前記背面被覆部との間で被挟持物を挟持するクリップを有することを特徴とする請求項１又は請求項２に記載の携帯情報端末用ケース。
【請求項４】
前記ケース本体は、前記背面被覆部の上端から、収納した前記携帯情報端末の上端よりも上方へ突出した上端突出部を有し、
この上端突出部に、ストラップ用の円形の通し穴、及び／又は、長円形のストラップ用の通し穴を有することを特徴とする請求項１〜３のいずれか１項に記載の携帯情報端末用ケース。
【発明の詳細な説明】
【技術分野】
【０００１】
本発明は、小型の携帯情報端末を携行する際に、携帯情報端末を収納する携帯情報端末用ケースに関するものである。
【背景技術】
【０００２】
近年、電子手帳やノート型のパーソナルコンピュータ、携帯音楽ファイルプレーヤなどといった小型の携帯情報端末（以下、「PDA：Personal Digital Assistants」という。）が急速に普及しており、このPDAは、小型であるため携帯して外出先で使用することができる。
【０００３】
このPDAを携帯する場合は、通常、PDAを衝撃から保護するためにPDA専用のケース（以下、「PDA用ケース」という。）に収納するようにしている。
【０００４】
このようなPDA用ケースとして、PDAの背面側を覆う背面被覆部を少なくとも有するケース本体と、その背面被覆部に設けられPDAの側部を保持するホルダ部とを具備し、背面被覆部の下端をPDAの下端よりも上方位置に設定し、且つPDAの下端部全域を開放することにより、このPDA用ケースの開放している部分から露出しているPDAのインターフェースを介してパーソナルコンピュータなどの外部装置と接続し、ケースに収納したままの状態で、PDAと外部装置とを同期させるようにしたPDA用のケースが提案されている（たとえば、特許文献１参照。）。
【特許文献１】特開２００３−１１０６７９号公報
【発明の開示】
【発明が解決しようとする課題】
【０００５】
ところが上記従来のPDA用のケースは、背面被覆部に設けたホルダ部によりPDAの側部を保持するような構成であったため、長期にわたりPDA用ケースを使用しているうちにホルダ部によるPDAを保持する力が低下して、PDAがPDA用ケースから脱落してPDAを紛失又は破損させてしまうおそれがあり、PDAを安心して携行することができないおそれがあった。
【課題を解決するための手段】
【０００６】
そこで、請求項１に係る本発明では、矩形薄箱形状の筐体を有する携帯情報端末を収納可能なケース本体を有し、ケース本体が、携帯情報端末の背面を被覆する背面被覆部と、当該背面被覆部と一体形成され携帯情報端末の両側面を被覆保持する一対の側面保持部とを有する携帯情報端末用ケースにおいて、ケース本体は、収納した携帯情報端末の頂面を被覆することにより、当該携帯情報端末が上側へ脱落することを防止する上側脱落防止部と、この上側脱落防止部の端部に配設され、収納した携帯情報端末の前面側上端を係止する係止部と、各側面保持部の下端に、背面被覆部の下端よりも下方へ突出し、携帯情報端末が下側へ脱落することを防止する下側脱落防止部と、これら下側脱落防止部と一体形成され、携帯情報端末が前側に脱落することを防止する前側脱落防止部とを有することを特徴とする。
【０００７】
また、請求項２に係る本発明では、請求項１に記載の携帯情報端末用ケースにおいて、収納した携帯情報端末の前面を被覆するように、ケース本体に着脱自在に構成した前面保護部材を設け、前面保護部材は、収納した携帯情報端末の前面を透視可能な材料により形成すると共に、当該前面保護部材の両側端部にケース本体と係合する係合爪を有することを特徴とする。
【０００８】
また、請求項３に係る本発明では、請求項１又は請求項２に記載の携帯情報端末用ケースにおいて、ケース本体の背面側に、一端が固定された板バネを配設し、当該板バネの他端と背面被覆部との間で被挟持物を挟持するクリップを有することを特徴とする。
【０００９】
また、請求項４に係る本発明では、請求項１〜３のいずれか１項に記載の携帯情報端末用ケースにおいて、ケース本体は、背面被覆部の上端から、収納した携帯情報端末の上端よりも上方へ突出した上端突出部を有し、この上端突出部に、ストラップ用の円形の通し穴、及び／又は、長円形のストラップ用の通し穴を有することを特徴とする。
【発明の効果】
【００１０】
本発明によれば、以下に記載するような効果を奏する。
【００１１】
すなわち、請求項１に係る本発明では、矩形薄箱形状の筐体を有する携帯情報端末を収納可能なケース本体を有し、ケース本体が、携帯情報端末の背面を被覆する背面被覆部と、当該背面被覆部と一体形成され携帯情報端末の両側面を被覆保持する一対の側面保持部とを有する携帯情報端末用ケースにおいて、ケース本体は、収納した携帯情報端末の頂面を被覆することにより、当該携帯情報端末が上側へ脱落することを防止する上側脱落防止部と、この上側脱落防止部の端部に配設され、収納した携帯情報端末の前面側上端を係止する係止部と、各側面保持部の下端に、背面被覆部の下端よりも下方へ突出し、携帯情報端末が下側へ脱落することを防止する下側脱落防止部と、これら下側脱落防止部と一体形成され、携帯情報端末が前側に脱落することを防止する前側脱落防止部とを有することを特徴とするため、携帯情報端末用ケースに収納した携帯情報端末を上下、左右、前後の各方向から保持することによって携行中に脱落することを防止することができるので、携帯情報端末を安心して携行することができる携帯情報端末用ケースを提供することができる。
【００１２】
また、請求項２に係る本発明では、請求項１に記載の携帯情報端末用ケースにおいて、収納した携帯情報端末の前面を被覆するように、ケース本体に着脱自在に構成した前面保護部材を設け、前面保護部材は、収納した携帯情報端末の前面を透視可能な材料により形成すると共に、当該前面保護部材の両側端部にケース本体と係合する係合爪を有することを特徴とするため、携帯情報端末が携帯情報端末用のケースの前側へ脱落することをより一層確実に防止できるので、携帯情報端末を安心して携行することができる携帯情報端末用ケースを提供することができ、さらに、筐体の前面に液晶表示装置等の情報表示部が配設されている携帯情報端末を収納した際、その情報表示部に表示される情報を携帯情報端末用ケースの外部から視認することができ、しかも、情報表示部を外的衝撃から保護することもできる。
【００１３】
また、請求項３に係る本発明では、請求項１又は請求項２に記載の携帯情報端末用ケースにおいて、ケース本体の背面側に、一端が固定された板バネを配設し、当該板バネの他端と背面被覆部との間で被挟持物を挟持するクリップを有することを特徴とするため、このクリップにより携帯情報端末用ケースを着衣や他の携帯品に取付けた状態で携帯情報端末を携行することができるので、携帯情報端末が脱落して紛失するおそれがなく、携帯情報端末を安心して携行することができる携帯情報端末用ケースを提供することができる。
【００１４】
また、請求項４に係る本発明では、請求項１〜３のいずれか１項に記載の携帯情報端末用ケースにおいて、ケース本体は、背面被覆部の上端から、収納した携帯情報端末の上端よりも上方へ突出した上端突出部を有し、この上端突出部に、ストラップ用の円形の通し穴、及び／又は、長円形のストラップ用の通し穴を有することを特徴とするため、ストラップ用の通し孔に首掛けタイプや、クリップタイプのストラップを結付けることができ、これにより、携帯情報端末が紛失することを防止しながら、安心して携行することができる携帯情報端末用ケースを提供することができる。
【発明を実施するための最良の形態】
【００１５】
以下、本発明に係る携帯情報端末用ケースの一実施形態について、図面を参照して具体的に説明する。
【００１６】
図１は、携帯情報端末用ケース（以下、「携帯用ケース」という。）を構成するケース本体を示す斜視図であり、図２は、携帯用ケースを構成する前面保護部材を示す斜視図、図３は、携帯情報端末を収納した状態の携帯用ケースを示す斜視図、図４は、携帯用ケースの前面を示す説明図、図５は、携帯用ケースの背面を示す説明図、図６は、携帯用ケースの上面を示す説明図、図７は、携帯用ケースの底面を示す説明図、図８は、携帯用ケースの右側面を示す説明図、図９は、携帯用ケースの左側面を示す説明図、図１０は、図４のＡ−Ａ線における断面図、図１１及び図１２及び図１３は、携帯用ケースの使用形態を示す説明図、図１４は、携帯用ケースの他の実施形態を示す説明図である。
【００１７】
本実施形態に係る携帯用ケース１は、図１に示すケース本体２と、図２に示す前面保護部材３とを備えており、図３に示すように、矩形薄箱形状の筐体５aを有する携帯情報端末５の前面側を手前にしてケース本体２に取付け収納した後、携帯情報端末５の前面側の所定領域を被覆するように、前面保護部材３をケース本体２に取付けた状態で携帯情報端末５を携行するために用いるものである。
【００１８】
本実施形態では、携帯情報端末５として、矩形薄箱形状の筐体５aの前面側上部に液晶表示部５bを備えると共に、筐体５aの前面側下部に操作部５cを備え、筐体５aの底部に情報入出力端子となるインターフェース５d及び音声出力端子となるイヤホン挿入端子５eが設けられ、筐体５aの頂面に操作部５cの操作を無効にするホールドスイッチ５fが設けられており、インターフェース５dから入力した音楽データを筐体５a内部の記憶部（図示略）に記憶させ、操作部５cを操作することにより、イヤホン挿入端子５eに接続したイヤホン24（図１２及び図１３参照）を用いて音楽データを聞くことができる携帯型音楽プレーヤを例に挙げて説明するが、本発明は、これに限定されるものではなく、他の携帯情報端末５に対しても適用することができる。
【００１９】
なお、以下の説明では、携帯情報端末５をプレーヤ５と称することとする。
【００２０】
図１及び図３に示すように、携帯用ケース１を構成するケース本体２は、収納したプレーヤ５の背面を被覆すると共に保持する背面被覆部６と、この背面被覆部６と一体形成され、プレーヤ５の両側面を被覆保持する一対の側面保持部７と、プレーヤ５の頂面を被覆することにより、当該プレーヤ５が上側へ脱落することを防止する上側脱落防止部８と、各側面保持部７の下端に、背面被覆部６の下端よりも下方へ突出し、プレーヤ５が下側へ脱落することを防止する下側脱落防止部９と、これら下側脱落防止部９と一体形成され、プレーヤ５が前側に脱落することを防止する前側脱落防止部10とを備えており、これらは全て樹脂材料により一体形成されたものである。
【００２１】
なお、図１中の符号11は後述する上端突出部であり、12、12はストラップ用の円形の通し穴、13はストラップ用の長円形の通し穴である。
【００２２】
また、図２及び図３に示すように、携帯用ケース１を構成する前面保護部材３は、収納したプレーヤ５の前面を被覆するように、ケース本体２に着脱自在に構成したものであり、好適には、収納したプレーヤ５の前面に設けられている液晶表示部５bを被覆保護可能な位置に配設するものであり、液晶表示部５bを外的衝撃から保護することができるようにしている。
【００２３】
さらに、この前面保護部材３は、収納したプレーヤ５の前面に設けられている液晶表示部５bに表示される情報を透視可能な材料（たとえば、透明な樹脂材料）により形成するようにしており、携帯用ケース１に収納したまま、液晶表示部５bに表示される再生中の曲名などを示す情報を視認することができるようにしている。
【００２４】
また、この前面保護部材３は、両側端部の所定位置にケース本体２と係合する係合爪14、14を備えており、この係合爪14、14をケース本体２に形成された被係合部14a、14aに係合することによってケース本体２に着脱自在に取付けられる。
【００２５】
そして、プレーヤ５をケース本体２に収納した後に、この前面保護部材３をケース本体２に取付けることにより、ケース本体２の背面被覆部６と前面保護部材３との間でプレーヤ５を挟持し、プレーヤ５が携帯用ケース１の前側から脱落することを防止するようにしている。
【００２６】
また、この前面保護部材３は、図３に示すように、収納したプレーヤ５前面側において、液晶表示部５b以外の領域、すなわち、操作部５cの領域は被覆せず露出させるような形状とすることにより、プレーヤ５を携帯用ケース１から取出すことなく操作部５cを操作することができるようにしている。
【００２７】
ここで、このように構成した携帯用ケース１の形状について、図４〜図１０を参照して、さらに具体的に説明する。
【００２８】
ケース本体２は、図４及び図５に示すように、樹脂により形成した縦長略長方形上の薄板からなる背面被覆部６を備えている。
【００２９】
この背面被覆部６は、収納するプレーヤ５の筐体５aの背面と略同一形状としているが、その下端が収納したプレーヤ５の下端よりも上側に位置するように形成している。
【００３０】
また、背面被覆部６の上端には、当該背面被覆部６と同一材料により一体形成された薄板からなる上端突出部11を備えている。
【００３１】
そして、この上端突出部11には、中央にストラップ用の長円形の通し穴13が形成されており、ストラップ用の長円形の通し穴13の左右両側に、ストラップ用の円形の通し穴12、12を備えている。
【００３２】
また、背面被覆部６の上端には、収納したプレーヤ５が上側に脱落することを防止する上側脱落防止部８を背面被覆部６の上端縁から前側に立設している。
【００３３】
この上側脱落防止部８は、図６に示すように、収納したプレーヤ５のホールドスイッチ５fに対応する位置に、このホールドスイッチ５fを携帯用ケース１の外部から操作するためのスイッチ用穴15を備えている。
【００３４】
さらに、この上側脱落防止部８の上端には、図８〜図１０に示すように、収納したプレーヤ５の前面側上端を係止することにより、プレーヤ５がケース本体２の前側から脱落することを防止する係止部16を備えている。
【００３５】
この係止部16は、背面被覆部６の上端から側面視略垂直に立設している上側脱落防止部８の上端から、背面被覆部６の下端側方向へカギ型に突出した爪であり、この爪と背面被覆部６とにより収納したプレーヤ５の前面上端部を挟持して、プレーヤ５が携帯用ケース１から脱落することを防止するようにしている。
【００３６】
また、図４に示す背面被覆部６の両側端縁部には、収納したプレーヤ５が横側に脱落することを防止する左右一対の側面保持部７を背面被覆部６の両側端縁から前側に立設している。
【００３７】
そして、この左右一対の側面保持部７の間でプレーヤ５の両側面を被覆すると共に挟み込むことによって、プレーヤ５が携帯用ケース１の横側から脱落することを防止している。
【００３８】
また、この側面保持部７は、図４に示すように、上側脱落防止部８と連続して背面被覆部６と共に一体形成されており、その上端が図８及び図９に示すように、上側脱落防止部８の上端よりも低くなるように形成している。
【００３９】
このように、側面保持部７の高さを上側脱落防止部８の高さよりも低く形成することにより、プレーヤ５を収納した状態においてプレーヤ５の側面における背面側を側面保持部７で被覆保持すると共に、プレーヤ５の側面における前面側を側面保持部７から露出させることができる。
【００４０】
そのため、プレーヤ５を携帯用ケース１から取外す場合には、プレーヤ５の両側面の露出している部分を指で挟んで取外すことができ、プレーヤ５を携帯用ケース１から容易に取外すことができる。
【００４１】
また、側面保持部７は、図５及び図８及び図９に示すように、側面保持部７の下端に連続して、背面被覆部６よりも下方へ突出し、その先端部分が携帯用ケース１の内方に湾曲してプレーヤ５の下側角部を下方から抱持することにより、下側へ脱落することを防止する下側脱落防止部９を備えている。
【００４２】
さらに、この下側脱落防止部９の前面側には、図４及び図５に示すように、一対の下側脱落防止部９の間に短冊上の薄板を架設して形成した前側脱落防止部10を備えている。
【００４３】
この前側脱落防止部10は、当該前側脱落防止部10と背面被覆部６との間でプレーヤ５を挟むことにより、プレーヤ５がケース本体２から前側に脱落することを防止すると共に、上記した係止部16と共同してプレーヤ５がケース本体２の前側から脱落することを防止するようにしている。
【００４４】
このようにケース本体２を形成したことにより、ケース本体２の底部には、図７及び図１０に示すように、プレーヤの底面よりもやや面積の狭い開口17が形成される。
【００４５】
具体的には、ケース本体２の底面視において、下側脱落防止部９が湾曲している分だけプレーヤ５の幅よりも幅が狭く、プレーヤ５の厚みと等しい高さを有する開口17が形成される。
【００４６】
このように、ケース本体２の底部に開口17を設けたことにより、プレーヤ５を携帯用ケース１に収納したままの状態で、プレーヤ５の底部に設けられているインターフェース５dにパーソナルコンピュータなどの周辺機器と接続された接続ケーブルを接続することができ、プレーヤ５内部の記憶領域に音楽データなどの書き込みを行える他、図１１に示すように、充電器などの機能を備えるクレードル18に接続することもできる。
【００４７】
また、この開口17は、図５に示すように、ケース本体２の背面被覆部６下端近傍において、前側脱落防止部10と同様の形状となるように形成することにより、ケース本体の厚みを可及的に薄く構成しながらも、プレーヤ５をケース本体２に余計な力を加えることなく挿入して収納させることができるようにしている。
【００４８】
すなわち、ケース本体２の内形をプレーヤ５の外形とほぼ同一形状となるように形成した場合に、プレーヤ５をケース本体に挿入しようとすると、挿入時にケース本体２に対して力を加え、その形状を多少変形させながら挿入して収納させなければならないが、本実施形態のケース本体２のように、ケース本体２の底面からケース本体２の背面下端部にかけて連続した開口17を形成したことで、以下の手順によりケース本体２に余計な力を加えることなく、プレーヤ５をケース本体２に挿入して容易に収納させることができる。
【００４９】
まず、プレーヤ５の下端部をケース本体２の前側脱落防止部10と背面被覆部６との間に挟み込むようにして斜め上方から開口17へ挿入する。
【００５０】
このとき、ケース本体２の底面から背面被覆部６にかけて連続した開口17から、プレーヤ５の背面側下端部が突出する。
【００５１】
次に、プレーヤ５の前面側を押圧することにより、プレーヤ５の背面を背面被覆部６に当接させてケース本体２に収納する。
【００５２】
このようにプレーヤ５をケース本体２に挿入する際に、プレーヤ５の背面側下端部を開口17から一旦突出させ、その後、プレーヤ５を前面側から押圧してケース本体２に収納するため、プレーヤ５を収納する際の押圧力を開口17により逃がすことができるので、ケース本体２に余計な力を加えることなくプレーヤ５を収納させることができ、ケース本体２の破損を防止することができる。
【００５３】
このようにしてケース本体２に収納したプレーヤ５は、その背面が背面被覆部６により支持され、その両側面が側面保持部７により支持され、その頂面が上側脱落防止部８により支持され、その底面における角部が下側脱落防止部９により保持されるので、この上下左右方向へ脱落することがない。
【００５４】
また、収納されたプレーヤ５は、前側脱落防止部10と背面被覆部６との間で挟持され、さらに、係止部16によりプレーヤ５の前側上端部が係止されるので、ケース本体２から前側に脱落することもない。
【００５５】
さらに、プレーヤ５をケース本体２に収納した状態で、前面保護部材３をケース本体２に取付けることにより、プレーヤ５の液晶表示部５bを保護しながらプレーヤ５が携帯用ケース１から前側へ脱落することを一層確実に防止することができる。
【００５６】
また、このケース本体２は、図８〜１０に示すように、背面側に一端が固定された板バネ19を配設し、この板バネ19の他端と背面被覆部６との間で被挟持物を挟持するクリップ20を備えている。
【００５７】
そして、このケース本体２は、図４〜図７に示すように、背面被覆部６の中央よりやや上側に形成された穴状に、当該ケース本体２の上面視（図６参照）において板バネ19の厚さと略同一の空間を形成するように架設した板バネ支持部21を備えており、この板バネ支持部21により形成した空間に板バネ19を嵌入することにより、板バネ19の一端を背面被覆部６の背面側に固定するようにしている。
【００５８】
なお、図４における符号21aは、板バネ19の配設位置を決定すると共に、嵌入した板バネ19がずれることを防止するために、板バネ支持部21前側に突設した位置決め凸部21aであり、この位置決め凸部21aを板バネ19に形成した穴に嵌合することにより、板バネ19の配設位置を規制するようにしている。
【００５９】
このように、ケース本体２がクリップ20を備えているため、携帯用ケース１を手に持って携行する必要がなく、図１２に示すように、クリップ20でベルト22に取付けて携行することができる。なお、図１２に示す使用形態は、一例を示したにすぎず、シャツ、上着、バッグなどのポケット等、クリップ20で携帯用ケース１を取付け可能なところであれば、任意のものに取付けた状態でプレーヤ５を携行することができる。
【００６０】
また、上記のように、ケース本体２は、ストラップ用の円形の通し穴12及びストラップ用の長円形の通し穴13を備えているので、図１３に示すように、これらの通し穴12、13にストラップ23を通し、携帯用ケース１を首から提げて携行することもできる。なお、図１２及び図１３に示す符号24はイヤホンである。
【００６１】
次に、本発明に係る携帯用ケースの他の実施形態について、図１４を参照して説明する。なお、図１４において、図１〜１３に示す携帯用ケース１と同様の構成要件については、同一の符号を付することによりその説明を省略する。
【００６２】
図１４に示すように、この実施形態に係る携帯用ケース30は、前面保護部材31の構成以外に関しては図１〜図１３に示す携帯用ケース１と同様の構成である。
【００６３】
この携帯用ケース30が備える前面保護部材31は、プレーヤ５の液晶表示部５bを被覆する部分が拡大鏡の機能を備えた構造をしている。
【００６４】
すなわち、この前面保護部材31は、液晶表示部５bと当接する面が平坦であり、この平坦な面と対向する前面側の面が周縁部から中央部にかけて凸状に湾曲した平凸レンズの形状となるように形成されている。
【００６５】
このように前面保護部材31を形成したことにより、液晶表示部５bを保護すると共に、液晶表示部５bに表示される曲名等の文字データを拡大して見ることができる。
【００６６】
さらに、この前面保護部材31は、ケース本体２に取付けた状態で手前側に引き出すことにより、液晶表示部５bとの距離を調整することができるスライド機構32を備えている。
【００６７】
このように前面保護部材31がスライド機構32を備えているため、前面保護部材31のスライド量を調整しながら引き出すことにより、液晶表示部５bに表示されている文字データの拡大量を調整しながら見ることができるので、視力の低下や年齢により比較的小さな文字が見え辛い利用者であっても、液晶表示部５bに表示される文字情報を読取ることができる。
【００６８】
また、この前面保護部材31は、図２に示す前面保護部材３と同様に、ケース本体２に着脱自在な構造をしており、これにより、前面保護部材31をスライド量が最大のところまで引き出しても文字データを確実に読取ることができない場合に、前面保護部材31をケース本体２から取外して拡大鏡として使用することで、液晶表示部５bに表示される文字データを確実に読取ることができる。
【００６９】
以上のように、この実施形態に記載した携帯用ケース30によれば、プレーヤ５が携帯用ケース30から脱落することを防止して、安心してプレーヤ５を携行できるだけでなく、液晶表示部５bに表示される文字データを明確に読取ることができる。
【図面の簡単な説明】
【００７０】
【図１】携帯用ケースを構成するケース本体を示す斜視図である。
【図２】携帯用ケースを構成する前面保護部材を示す斜視図である。
【図３】携帯情報端末を収納した状態の携帯情報端末用ケースを示す斜視図である。
【図４】携帯用ケースの前面を示す説明図である。
【図５】携帯用ケースの背面を示す説明図である。
【図６】携帯用ケースの上面を示す説明図である。
【図７】携帯用ケースの底面を示す説明図である。
【図８】携帯用ケースの右側面を示す説明図である。
【図９】携帯用ケースの左側面を示す説明図である。
【図１０】図４のＡ−Ａ線における断面図である。
【図１１】携帯用ケースの使用形態を示す説明図である。
【図１２】携帯用ケースの使用形態を示す説明図である。
【図１３】携帯用ケースの使用形態を示す説明図である。
【図１４】携帯用ケースの他の実施形態を示す説明図である
【符号の説明】
【００７１】
１  携帯情報端末用ケース（携帯用ケース）
２  ケース本体
３  前面保護部材
５  携帯情報端末（プレーヤ）
５a  筐体
５b  液晶表示部
５c  操作部
５d  インターフェース
５e  イヤホン挿入端子
５f  ホールドスイッチ
６  背面被覆部
７  側面保持部
８  上側脱落防止部
９  下側脱落防止部
10  前側脱落防止部
11  上端突出部
12  ストラップ用の円形の通し穴
13  ストラップ用の長円形の通し穴
14  係合爪
14a  被係合部
15  スイッチ用穴
16  係止部
17  開口
18  クレードル
19  板バネ
20  クリップ
21  板バネ支持部
21a  位置決め凸部
22  ベルト
23  ストラップ
24  イヤホン
30  携帯用ケース
31  前面保護部材
32  スライド機構
【図１】
2007166243.tif 000003
【図２】
2007166243.tif 000004
【図３】
2007166243.tif 000005
【図４】
2007166243.tif 000006
【図５】
2007166243.tif 000007
【図６】
2007166243.tif 000008
【図７】
2007166243.tif 000009
【図８】
2007166243.tif 000010
【図９】
2007166243.tif 000011
【図１０】
2007166243.tif 000012
【図１１】
2007166243.tif 000013
【図１２】
2007166243.tif 000014
【図１３】
2007166243.tif 000015
【図１４】
2007166243.tif 000016